(57)【要約】【課題】谷樋の下地側の面で結露した水や谷樋から漏れ出した水等を外部に排出することができる屋根構造及びドレンを提供する。【解決手段】下地２には上方に開口する凹部２１が形成される。谷樋１は凹部２１内に設けられる。ルーフィング６は谷樋１と凹部２１の底部２４との間に設けられる。樋側ドレン８は谷樋１に設けられる。下地側ドレン３は底部２４に設けられ、樋側ドレン８から排出された水を底部２４の下方に排出する。ルーフィング６が底部２４の上方から下地側ドレン３まで延びる。【選択図】図１
2019027164.tif 000002
【特許請求の範囲】
【請求項１】
屋根の谷部に谷樋が設けられた屋根構造であって、
上方に開口する凹部が形成された下地と、
前記凹部内に設けられた前記谷樋と、
前記谷樋と前記凹部の底部との間に設けられたルーフィングと、
前記谷樋に設けられた樋側ドレンと、
前記底部に設けられ、前記樋側ドレンから排出された水を前記底部の下方に排出するための下地側ドレンとを備え、
前記ルーフィングが前記底部の上方から前記下地側ドレンまで延びたことを特徴とする屋根構造。
【請求項２】
前記下地側ドレンは、
前記底部を上下方向に貫通し、前記樋側ドレンから排出された水を前記底部の下方に排出する排水筒部と、
前記排水筒部の上縁から外周側に向かって突出して前記底部上に載置されたフランジ部とを備え、
前記ルーフィングが前記底部の上方から前記フランジ部の上方を通過して前記排水筒部の内側に至っていることを特徴とする請求項１に記載の屋根構造。
【請求項３】
前記フランジ部の上面は、前記排水筒部側に向かって段階的又は連続的に低くなっていることを特徴とする請求項２に記載の屋根構造。
【請求項４】
前記フランジ部の上面は、
平面視環状で前記フランジ部の外周部の上面よりも一段低く、外周縁が段差を介して前記外周部の上面に繋がった第１面と、
平面視環状で前記第１面よりも一段低く、外周縁が段差を介して前記第１面に繋がった第２面とを備えたことを特徴とする請求項２に記載の屋根構造。
【請求項５】
前記排水筒部は平面視円形の内周面を備え、
前記下地側ドレンは、
平面視Ｃ字状に形成され、前記内周面の内側に嵌め込まれた押え部材をさらに備え、
前記ルーフィングが前記押え部材と前記内周面との間に挟まれていることを特徴とする請求項２〜４のいずれか１項に記載の屋根構造。
【請求項６】
屋根の下地に形成された上方に開口する凹部の底部を上下方向に貫通し、前記凹部内に設けられた谷樋の下方に位置し、前記谷樋に設けられた樋側ドレンから排出された水を前記底部の下方に排出するための排水筒部と、
前記排水筒部の上縁から外周側に突出して前記底部上に載置可能なフランジ部とを備え、
前記フランジ部の上面は、前記排水筒部側に向かって段階的又は連続的に低くなっていることを特徴とするドレン。
【請求項７】
前記フランジ部に、上下方向に貫通し、前記フランジ部を前記底部に固定するための固着具を挿通可能な固着具用孔が形成されたことを特徴とする請求項６に記載のドレン。
【発明の詳細な説明】
【技術分野】
【０００１】
本発明は、屋根構造及びドレンに関する。
【背景技術】
【０００２】
特許文献１には、略Ｖ字状の屋根面の谷底部分に横樋が設けられた無落雪屋根が開示されている。この無落雪屋根では、略Ｕ字状の横樋用下地材上に、金属板を折り曲げ加工して作製された横樋が、横樋用断熱材を介して配置されている。横樋の底部には排水口が開口しており、排水口には屋内縦樋の上端が接続されている。この無落雪屋根にあっては、屋根面上の積雪が横樋に流入し、この積雪の融雪水が前記排水口を介して屋内縦樋に排出される。
【先行技術文献】
【特許文献】
【０００３】
【特許文献１】特開２０１１−２２６１５３号公報
【発明の概要】
【発明が解決しようとする課題】
【０００４】
ところで、前記無落雪屋根にあっては、横樋の外面で結露した水や、横樋から漏れ出した水等が、横樋用下地材に至る可能性がある。しかし、前記無落屋根は、横樋用下地材に至った水を排出する手段を有しておらず、すが洩り等が生じるおそれがある。
【０００５】
本発明は前記事情に鑑みてなされたものであって、谷樋の下地側の面で結露した水や谷樋から漏れ出した水等を外部に排出することができる屋根構造及びドレンを提供することを目的とする。
【課題を解決するための手段】
【０００６】
前記目的を達成するために本発明に係る一態様の屋根構造は、屋根の谷部に谷樋が設けられた屋根構造であって、上方に開口する凹部が形成された下地と、前記凹部内に設けられた前記谷樋と、前記谷樋と前記凹部の底部との間に設けられたルーフィングと、前記谷樋に設けられた樋側ドレンと、前記底部に設けられ、前記樋側ドレンから排出された水を前記底部の下方に排出するための下地側ドレンとを備え、前記ルーフィングが前記底部の上方から前記下地側ドレンまで延びたことを特徴とする。
【０００７】
また、本発明に係る一態様のドレンは、屋根の下地に形成された上方に開口する凹部の底部を上下方向に貫通し、前記凹部内に設けられた谷樋の下方に位置し、前記谷樋に設けられた樋側ドレンから排出された水を前記底部の下方に排出するための排水筒部と、
前記排水筒部の上縁から外周側に突出して前記底部上に載置可能なフランジ部とを備え、
前記フランジ部の上面は、前記排水筒部側に向かって段階的又は連続的に低くなっていることを特徴とする。
【発明の効果】
【０００８】
本発明に係る屋根構造は、谷樋の下地側の面で結露した水や谷樋から漏れ出した水等をルーフィングで受け、この水を下地側ドレンから排出することができ、防水性を向上できる。
【０００９】
また、本発明に係るドレンは、谷樋の外面で結露した水や谷樋から漏れ出た水等を凹部の底部下方に排出できる。
【図面の簡単な説明】
【００１０】
【図１】図１は、本発明に係る一実施形態の屋根構造を谷樋の長手方向と直交する断面で示した断面図である。
【図２】図２は、同上の屋根構造を谷樋の幅方向と直交する断面で示した断面図である。
【図３】図３は、同上の屋根構造を示し、一部を切欠断面で示した斜視図である。
【図４】図４は、同上の屋根構造に用いられる下地側ドレンの分解斜視図である。
【図５】図５Ａは、同上の屋根構造におけるルーフィングに切り込みを入れた状態を示した斜視図であり、図５Ｂは前記ルーフィングの複数の片部を下地側ドレンの排水筒部に沿って曲げた状態を示した斜視図である。
【図６】図６は、同上の屋根構造に用いられる通気部材の斜視図である。
【発明を実施するための形態】
【００１１】
以下に示す実施形態は、無落雪住宅の屋根構造に関する。本実施形態の屋根構造は、いわゆるスノーダクト方式の屋根構造（無落雪屋根構造）であって、すなわち、バタフライ屋根の谷部に谷樋１が設けられた屋根構造である。この屋根構造にあっては、屋根上の雪解け水や雨水は、谷樋１を介して排出される。
【００１２】
図１〜図３に示すように本実施形態の無落設屋根構造は、下地２、ドレン３、排水管４、複数の断熱材５１，５２、複数のルーフィング６、複数の通気部材７、谷樋１、ドレン８及び複数の屋根材９０を備えている。以下、ドレン３を下地側ドレン３といい、ドレン８を樋側ドレン８という。
【００１３】
（下地）
図１に示すように、下地２は、複数の屋根材９０の下地となる屋根下地２０と、バタフライ屋根の谷部を構成し谷樋１の下地となる凹部２１とを備えている。
【００１４】
本実施形態の屋根下地２０は、凹部２１を挟んでＶ字状に配置された一対の野地板２２で構成されている。各野地板２２は、凹部２１に向かって下り傾斜している。
【００１５】
凹部２１は一対の野地板２２の間において上方に開口している。凹部２１は、各野地板２２の屋根勾配方向と直交する水平方向に延びた溝状に形成されている。
【００１６】
図１及び図２に示すように、本実施形態の凹部２１は、平面視で凹部２１の長手方向に延びた矩形板状の底部２４と、底部２４の各辺に立設された側壁部２５とを備えている。底部２４及び四方の側壁部２５の各々は、例えば一乃至複数枚の合板で構成され、建物の構造材に対して固定される。凹部２１の底部２４には上下方向に貫通した貫通孔２６が形成されている。
【００１７】
（下地側ドレン）
底部２４には、貫通孔２６に挿通された下地側ドレン３が設けられている。本実施形態の下地側ドレン３は、谷樋１に設けられた樋側ドレン８から排出された水を、凹部２１の底部２４の下方に排出するドレン本体３０と、凹部２１の底部２４上方からドレン本体３０まで延びたルーフィング６をドレン本体３０との間に挟み込んで押える押え部材３３とを備えている。ドレン本体３０と押え部材３３との各々は、合成樹脂製である。
【００１８】
ドレン本体３０は、貫通孔２６に挿通されて底部２４を上下方向に貫通した排水筒部３４と、排水筒部３４の上縁から外周側に向かって突出して凹部２１の底部２４上に載置されたフランジ部３５とを備えている。
【００１９】
排水筒部３４は、貫通孔２６に挿通された円筒状の挿通部３４０と、挿通部３４０よりも下方に位置した円筒状の接続部３４１と、挿通部３４０の下縁と接続部３４１の上縁とを繋いだ筒状の中間部３４２とを備えている。
【００２０】
挿通部３４０は平面視円形の内周面３４３を備えている。接続部３４１は挿通部３４０と同心で挿通部３４０よりも小径の筒状に形成されている。中間部３４２は挿通部３４０及び接続部３４１と同心で下端に近い部分ほど小径となるテーパー円筒状に形成されている。
【００２１】
フランジ部３５は挿通部３４０の上縁から外周側に向かって突出している。フランジ部３５は挿通部３４０の周方向の全長に亘って形成されている。図４に示すように本実施形態のフランジ部３５の外形は、平面視矩形状である。挿通部３４０の上端に形成された上開口部３９は、フランジ部３５の内側において上方に開口している。
【００２２】
フランジ部３５には、複数の固着具用孔３５０が形成されている。本実施形態では、平面視矩形状のフランジ部３５の四隅の各々に固着具用孔３５０が形成されている。各固着具用孔３５０は、フランジ部３５を上下方向に貫通している。
【００２３】
各固着具用孔３５０には、図３に示す固着具９１が挿通されている。各固着具９１は釘又はねじからなる。各固着具９１は、凹部２１の底部２４に固着されている。これにより、フランジ部３５は、複数の固着具９１によって凹部２１の底部２４に固定されている。
【００２４】
図１及び図２に示すようにドレン本体３０の接続部３４１には、軸方向が上下方向と平行な排水管（縦樋）４の上端部が被嵌されて接続されている。排水管４は例えば建物を上下に貫通して下端部が下水道に通じている。谷樋１に設けられた樋側ドレン８から流下した水は、下地側ドレン３の排水筒部３４に流入し、この後、排水管４を介して下水道に排出される。
【００２５】
フランジ部３５の上面は、中央の排水筒部３４側に向かって段階的に低くなっており、これによりフランジ部３５上に敷かれたルーフィング６は、排水筒部３４側に向かって下り勾配がついている。具体的に本実施形態のフランジ部３５の上面は、図４に示すように、フランジ部３５の外周部３５３の上面よりも低い第１面３５１と第２面３５２とを備えている。
【００２６】
第１面３５１は、平面視円環状でフランジ部３５の外周部３５３の上面よりも一段低い。第１面３５１の外周縁は、段差３５４を介して外周部３５３の上面に繋がっている。第２面３５２は、平面視円環状で第１面３５１よりも一段低い。第２面３５２の外周縁は、段差３５５を介して第１面３５１に繋がっている。第２面３５２の内周縁は、挿通部３４０の上開口部３９の周縁に繋がっている。フランジ部３５の外周部３５３の上面、第１面３５１及び第２面３５２の各々は、略水平な面である。
【００２７】
図３に示すようにドレン本体３０の挿通部３４０の内側には、挿通部３４０の内周面３４３との間にルーフィング６を挟み込んで固定するリング状の押え部材３３が嵌め込まれている。図４に示すように本実施形態の押え部材３３は、挿通部３４０と同心の平面視Ｃ字状に形成されており、周方向の一部が連続していない。このため、作業者は、押え部材３３を挿通部３４０の内側に嵌め込む際に、押え部材３３を外周側から掴むことで、押え部材３３を径が縮小するように簡単に弾性変形させることができる。
【００２８】
（断熱材）
図１〜図３に示すように、下地２に形成された凹部２１の内側には、複数の断熱材５１，５２が配置されている。本実施形態の屋根構造は、複数の断熱材５１，５２として、凹部２１の底部２４の上面に沿って配置された複数の第１断熱材５１と、凹部２１の幅方向両側の側壁部２５の内面（屋外側の面）に沿って配置された複数の第２断熱材５２とを備えている。
【００２９】
複数の第１断熱材５１及び複数の第２断熱材５２の各々は、例えばポリスチレンフォーム等の発泡樹脂から形成される。各第１断熱材５１は、凹部２１の底部２４の上面に沿った板状に形成されている。各第１断熱材５１は、ルーフィング６及び通気部材７を介して谷樋１の底板部１０の下側に配置されている。各第２断熱材５２は、凹部２１の側壁部２５の内面に沿った板状に形成されている。各第２断熱材５２は谷樋１の側板部１１の外側（下地２側）にルーフィング６を介して配置されている。
【００３０】
複数の第１断熱材５１は、凹部２１の底部２４において下地側ドレン３のフランジ部３５が載置された箇所を除く他の部分の略全体に亘っている。複数の第２断熱材５２は、凹部２１の幅方向両側の側壁部２５のそれぞれに設けられており、対応する側壁部２５の略全体に亘っている。
【００３１】
図１及び図２に示すように、複数の第１断熱材５１の厚みは、下地側ドレン３のフランジ部３５の外周部３５３の厚みと略同じである。このため、複数の第１断熱材５１の各々の上面と、フランジ部３５の外周部３５３の上面とは、略同レベルに位置している。
【００３２】
（ルーフィング）
図３に示すように、下地２の屋外側には、下地２の全体に亘るように複数のルーフィング（防水シート）６が張られている。複数のルーフィング６の各々は、例えばフェルト又は板紙等にアスファルト（ゴムアスファルトを含む）がしみ込んだシート状のアスファルトルーフィングである。
【００３３】
複数のルーフィング６は、一対の野地板２２の上面、複数の第１断熱材５１の上面及び複数の第２断熱材５２の屋外側の面、並びに下地側ドレン３のフランジ部３５の上面を覆っている。
【００３４】
本実施形態では、複数の第１断熱材５１、複数の第２断熱材５２及び下地側ドレン３のフランジ部３５は、一枚のルーフィング６によって覆われている。以下、このルーフィング６をルーフィング６ａという。ルーフィング６ａは、複数の第１断熱材５１の上面に沿う第１部分６１と、第１部分６１の四方の側縁部から凹部２１の四方の側壁部２５に沿って上方に延びた第２部分６２とを備えている。
【００３５】
第１部分６１は、第１断熱材５１の上方からフランジ部３５の上方を通過し、この後、下地側ドレン３の排水筒部３４の内側にまで延びている。第１部分６１は谷樋１の外面で結露した水や谷樋１から漏れ出た水を受け、この水を排水筒部３４の内側に導く。
【００３６】
図１及び図２に示すように、第１部分６１において、フランジ部３５の第１面３５１及び第２面３５２の上方に位置する部分は、第１面３５１及び第２面３５２に沿っており、下地側ドレン３の排水筒部３４に向かって下り傾斜している。このため、ルーフィング６ａ上の水は、スムーズに排水筒部３４内に導かれる。
【００３７】
フランジ部３５上の第１部分６１は、フランジ部３５の第１面３５１に両面粘着テープや接着剤等を用いて貼り付けてもよい。このようにすることで、ルーフィング６をフランジ部３５に対して固定することができる。
【００３８】
また、フランジ部３５の第１面３５１とこの上方に位置する第１部分６１との間にはシール材を設けてもよく、この場合、シール材によって第１面３５１と第１部分６１との間をシールすることができる。
【００３９】
また、凹部２１の底部２４は、貫通孔２６に近い部分ほど下方に位置するように傾斜していてもよい。この場合、ルーフィング６の第１部分６１には、下地側ドレン３の排水筒部３４に向かう下り勾配を容易につけることができる。このため、第１部分６１上の水を排水筒部３４にスムーズに導くことができる。なお、凹部２１の底部２４は、全体が水平であって構わない。
【００４０】
ルーフィング６ａにおいて排水筒部３４の内側に位置する部分は、図５Ｂに示すように挿通部３４０の周方向に並んだ複数の片部６３で構成されている。複数の片部６３の各々は、下向きに尖った三角形状に形成されている。
【００４１】
複数の片部６３は、図５Ａに示すように、ルーフィング６ａにおいて排水筒部３４の上開口部３９に対応する部分に、放射状の切り込み６４を入れることで形成される。
【００４２】
図３に示すように複数の片部６３は、挿通部３４０の内周面３４３に沿って配置されている。挿通部３４０の内側には、複数の片部６３を介して下地側ドレン３の押え部材３３が嵌め込まれている。複数の片部６３は押え部材３３と挿通部３４０の内周面３４３との間に挟まれて固定されている。
【００４３】
前述のようにルーフィング６ａに複数の片部６３を形成する場合、放射状の切り込み６４が長くなってこの切り込み６４の一部がフランジ部３５の第２面３５２の上方にまで至り、ルーフィング６ａの第１部分６１上の水が、切り込み６４から第２面３５２に流れる可能性がある。しかし、本実施形態のフランジ部３５には、第２面３５２の外周側に、第１面３５１と第２面３５２との間の段差３５５がある。このため、第２面３５２で受けられた後、フランジ部３５の外周側に向かって流れた水は、段差３５５により堰き止められる。従って、第２面３５２で受けられた水は、排水筒部３４の内側に流れやすくなり、防水性が高い。
【００４４】
（通気部材）
複数の第１断熱材５１の上には、ルーフィング６ａを介して複数の通気部材７が配置されている。複数の通気部材７は、複数の第１断熱材５１の略全体に亘っている。複数の通気部材７の各々は、通気性を有する部材であり、谷樋１の下面に沿って配置されている。
【００４５】
各通気部材７は、例えば合成樹脂製である。本実施形態の各通気部材７は、凹部２１の長手方向に延びた板状に形成されており、各通気部材７の長手方向は凹部２１の長手方向と平行である。
【００４６】
図６に示すように本実施形態の各通気部材７はハニカム構造を有しており、クッション性を有している。各通気部材７には、下地側ドレン３を介して排水管４に通じる通気空間７０が形成されている。本実施形態の各通気部材７には、通気空間７０として、複数（多数）の通気孔７１が形成されている。複数の通気孔７１の各々は、通気部材７を当該通気部材７の長手方向に貫通している。本実施形態の複数の通気孔７１は、通気部材７を長手方向に見て、通気部材７の全体に亘るように形成されている。
【００４７】
図２に示すように、各通気部材７の通気空間７０は、下地側ドレン３の排水筒部３４の内側領域を介して排水管４に通じている。本実施形態では、一対の通気部材７が、凹部２１の幅方向に見て下地側ドレン３の両側に位置するように配置されている。各通気部材７において複数の通気孔７１が露出した長手方向の一端面は、下地側ドレン３の上方領域に臨んでいる。このため、各通気部材７の複数の通気孔７１には、排水管４内から排水筒部３４を経て凹部２１内に導入された空気が流入しやすくなっている。
【００４８】
排水管４内の空気は、下水道の熱及び建物で発生した熱により排水管４内を上昇しやすい。このため、下水道の熱及び建物で発生した熱は、排水管４内から下地側ドレン３及び樋側ドレン８を介して谷樋１内に導入される空気と共に谷樋１に伝わる。この熱は図１に示すように谷樋１の外側に位置する複数の断熱材５１，５２によって保温される。このため、谷樋１内の雪や氷堤は比較的解けやすい。
【００４９】
ところで、排水管４から下地側ドレン３及び樋側ドレン８を介して谷樋１内に入り込んだ空気は、樋側ドレン８付近では谷樋１の底板部１０近傍を通過するものの、樋側ドレン８から離れた箇所では、底板部１０近傍を通過し難い。このため、例えば谷樋１内側の雪や氷堤が谷樋１の底板部１０に接する等して底板部１０が冷却されると、谷樋１の下部の外面で結露が発生したり、谷樋１内において下部に位置する雪や氷堤が解け難くなるおそれがある。しかし、本実施形態では、排水管４内の空気が下地側ドレン３を通って凹部２１内にも導入され、このように凹部２１内に導入された空気は、複数の通気部材７の各々に形成された通気空間７０を通じて、谷樋１の底板部１０全体の下方を流れる。このため、谷樋１の底板部１０には、下水道の熱及び建物で発生した熱が伝わりやすい。また、この熱は複数の断熱材５１，５２によって保温される。従って、谷樋１の下部の外面（屋内側面）で結露が発生することが抑制され、また、谷樋１内の下部に位置する雪や氷堤も解けやすくなる。
【００５０】
図１及び図２に示すように、複数の通気部材７は、ルーフィング６ａにおける凹部２１の四方の側壁部２５に沿った第２部分６２との間に隙間９２が形成されるように配置されている。このため、ルーフィング６が通気部材７によって凹部２１の底部２４と側壁部２５とでなす角部に押し付けられて破れるといった事態が生じ難い。
【００５１】
（谷樋）
図１〜図３に示すように、複数の通気部材７の上方には、谷樋１（スノーダクト）が設けられている。本実施形態の谷樋１は、金属製であり、施工現場において１乃至複数枚の金属板を、凹部２１の四方の側壁部２５に沿ったルーフィング６及び複数の通気部材７の上面に沿うように折り曲げて製作される。
【００５２】
谷樋１は、上方に開口した溝状に形成されている。谷樋１は、平面視で凹部２１の長手方向に延びた矩形板状の底板部１０と、底板部１０の各辺に立設された側板部１１とを備えている。
【００５３】
谷樋１の底部を構成する底板部１０は、複数の通気部材７の上面に沿って配置されている。谷樋１の四方の側板部１１は、ルーフィング６ａの第２部分６２の屋外側の面に沿うように配置されている。
【００５４】
（樋側ドレン）
図１及び図２に示すように谷樋１の底板部１０には、樋側ドレン８が設けられている。樋側ドレン８は谷樋１の底板部１０において下地側ドレン３に対応する箇所に設けられている。樋側ドレン８は、谷樋１の内側を流れる水を下方の下地側ドレン３に向かって排出する。
【００５５】
本実施形態の樋側ドレン８は、谷樋１の下方に配置された下部材８０と、下部材８０に取り付けられた上部材８１とを備えている。
【００５６】
下部材８０は、軸方向が上下方向と平行な円筒状の排水部８２と、排水部８２の上縁部から外周側に向かって突出した下鍔部８３とを備えている。
【００５７】
下鍔部８３は谷樋１の底板部１０の下面に沿っている。排水部８２は下鍔部８３から下方に向かって突出しており、下地側ドレン３の押え部材３３の内側に配置されている。排水部８２の内周面には、雌ねじ８４が形成されている。
【００５８】
上部材８１は、軸方向が上下方向と平行な円筒状の連結筒部８５と、連結筒部８５の上縁から外周側に向かって突出した上鍔部８６と、連結筒部８５から上方に突出したごみ除け８７とを備えている。
【００５９】
連結筒部８５は谷樋１の底板部１０に形成された上下方向に貫通する孔に挿通されている。連結筒部８５の外周面には雄ねじ８８が形成されている。雄ねじ８８は下部材８０の雌ねじ８４にねじ込まれており、これにより上部材８１は下部材８０に連結されている。
【００６０】
上鍔部８６は谷樋１の底板部１０の上面に沿って配置されている。上鍔部８６と下部材８０の下鍔部８３とで底板部１０が上下に挟まれており、これにより樋側ドレン８は谷樋１の底板部１０に固定されている。
【００６１】
樋側ドレン８の排水部８２は、下地側ドレン３の挿通部３４０及び押え部材３３と同心になるように配置されており、排水部８２は下地側ドレン３の接続部３４１よりも上方に位置している。
【００６２】
谷樋１内の水は、上部材８１の連結筒部８５内を通過して下部材８０の排水部８２内に流れ込み、この後、排水部８２から下方に排出されて下地側ドレン３の排水筒部３４内に流れ込む。また、このとき、ごみ除け８７は、谷樋１から樋側ドレン８に流れ込む水に含まれる落ち葉等のごみを捕捉する。
【００６３】
下地側ドレン３の排水筒部３４と樋側ドレン８の排水部８２との間には、接続部３４１の内側領域と、下地側ドレン３のフランジ部３５の上面に沿って配置されたルーフィング６の上方領域とを連通させる間隙９３が形成されている。本実施形態では、排水部８２の外周面と押え部材３３の内周面との間に間隙９３が形成されている。
【００６４】
複数の第１断熱材５１の上面に沿って配置されたルーフィング６上の水は、間隙９３を通って接続部３４１内に流れ込み、この後、排水管４から排出される。また、排水管４の内部は、接続部３４１の内側領域及び間隙９３を介して各通気部材７の通気空間７０に通じており、これにより、排水管４内の空気は、各通気部材７の通気空間７０に流れ込みやすくなっている。
【００６５】
（屋根材）
一対の野地板２２の上には、ルーフィング６を介して複数の屋根材９０が葺かれている。本実施形態の複数の屋根材９０の各々は、金属板で構成されている。
【００６６】
図１に示すように、本実施形態の谷樋１は、谷樋１の幅方向両側の側板部１１の各々の上端部から、谷樋１の幅方向における内側及び外側にそれぞれ突出した内鍔部１２と外鍔部１３とを備えている。
【００６７】
各屋根材９０は谷樋１の対応する内鍔部１２の上面及び外鍔部１３の上面に沿って配置されている。各屋根材９０の谷樋１側の端部は、内鍔部１２を巻き込むように曲げることで谷樋１に対して固定されている。
【００６８】
（施工）
谷樋１及び複数の屋根材９０の施工は、例えば以下のように行われる。まず、作業者は、図３に示す下地２に形成された凹部２１の底部２４に、下地側ドレン３のドレン本体３０を取り付ける。この際、作業者は、凹部２１の底部２４に形成された貫通孔２６に、上方から排水筒部３４を挿入し、下地側ドレン３のフランジ部３５を凹部２１の底部２４上に載置する。
【００６９】
次に作業者は、フランジ部３５に形成された各固着具用孔３５０に上方から固着具９１を挿入し、各固着具９１を凹部２１の底部２４に打入する。これにより、ドレン本体３０は、凹部２１の底部２４に取り付けられる。このように取り付けられたドレン本体３０の排水筒部３４には、排水管４が連結される。
【００７０】
次に作業者は、下地２に形成された凹部２１の内側に複数の断熱材５１，５２を配置し、この後、複数のルーフィング６を施工する。
【００７１】
次に作業者は、第１断熱材５１の上面に沿って配置されたルーフィング６ａにおいて排水筒部３４の上開口部３９に対応する部分に、図５Ａに示すように放射状の切り込み６４を入れて、複数の片部６３を形成する。次に作業者は、複数の片部６３を図５Ｂに示すように下方に曲げて挿通部３４０の内周面３４３に沿わせる。次に作業者は、挿通部３４０の内側に複数の片部６３を介して下地側ドレン３の押え部材３３を嵌め込んで複数の片部６３を固定する。
【００７２】
作業者がドレン本体３０の挿通部３４０の内側に押え部材３３を嵌め込むときには、まず、押え部材３３を手で掴んで当該押え部材３３の径が縮小するように弾性変形させ、この状態で押え部材３３を挿通部３４０内に挿入する。続いて作業者は、押え部材３３を掴む力を緩めて押え部材３３を弾性復帰させて、押え部材３３を複数の片部６３を介して挿通部３４０の内周面３４３に押し当てる。このように押え部材３３を挿通部３４０に嵌め込むときに押え部材３３を変形させることで、押え部材３３を用いてルーフィング６ａの複数の片部６３を固定する作業が容易になる。
【００７３】
次に作業者は、ルーフィング６上に複数の通気部材７を配置する。次に作業者は、通気部材７上に谷樋１を作製し、また、このとき谷樋１の底板部１０に樋側ドレン８を取り付ける。そして、作業者は、一対の野地板２２上にルーフィング６を介して複数の屋根材９０を葺く。
【００７４】
（補足）
以上説明した実施形態は、適宜設計変更可能である。例えば、谷樋１は金属以外の材料から形成されてもよい。また、谷樋１は工場等で製作された後、現場に搬送されて凹部２１に設置されてもよい。
【００７５】
また、第１面３５１及び第２面３５２は平面視において円形以外の形状の環状であってもよく、その形状はフランジ部３５の挿通部３４０の形状等に応じて適宜変更可能である。
【００７６】
また、フランジ部３５の上面は、排水筒部３４側に向かって連続的に低くなってもよい。また、フランジ部３５の上面は全体が水平な面であってもよい。
【００７７】
また、凹部２１の底部２４上のルーフィング６は、排水筒部３４の内側まで延びていなくてもよく、少なくともフランジ部３５の上面まで延びていればよい。また、押え部材３３は省略可能である。また、通気部材７は省略可能である。
【００７８】
（効果）
前記実施形態の屋根構造は、屋根の谷部に谷樋１が設けられた屋根構造であって、以下に示す特徴を有する。屋根構造は、下地２、谷樋１、ルーフィング６、樋側ドレン８及び下地側ドレン３を備える。下地２には上方に開口する凹部２１が形成される。谷樋１は凹部２１内に設けられる。ルーフィング６は谷樋１と凹部２１の底部２４との間に設けられる。樋側ドレン８は谷樋１に設けられる。下地側ドレン３は底部２４に設けられ、樋側ドレン８から排出された水を底部２４の下方に排出する。ルーフィング６が底部２４の上方から下地側ドレン３まで延びる。以下、この屋根構造を第１の態様の屋根構造という。
【００７９】
第１の態様の屋根構造は、谷樋１の外面で結露した水や、谷樋１から漏れ出た水等をルーフィング６で受け、この水を下地側ドレン３から排出できる。
【００８０】
また、前記実施形態の屋根構造は、第１の態様の屋根構造が有する特徴に加えて、以下に示す付加的な特徴を有する。下地側ドレン３は、底部２４を上下方向に貫通し、樋側ドレン８から排出された水を底部２４の下方に排出する排水筒部３４と、排水筒部３４の上縁から外周側に向かって突出して底部２４上に載置されたフランジ部３５とを備える。ルーフィング６が底部２４の上方からフランジ部３５の上方を通過して排水筒部３４の内側に至る。以下、この屋根構造を第２の態様の屋根構造という。
【００８１】
第２の態様の屋根構造は、ルーフィング６がフランジ部３５の上方から排水筒部３４の内側に至るので、ルーフィング６で受けた水をルーフィング６によって排水筒部３４まで導くことができて、排水性が高まる。
【００８２】
また、前記実施形態の屋根構造は、第２の態様の屋根構造が有する特徴に加えて、以下に示す付加的な特徴を有する。フランジ部３５の上面は、排水筒部３４側に向かって段階的又は連続的に低くなっている。以下、この屋根構造を第３の態様の屋根構造という。
【００８３】
第３の態様の屋根構造は、ルーフィング６を、排水筒部３４側に向かって段階的又は連続的に低くなったフランジ部３５の上面に沿って配置することができ、ルーフィング６に排水筒部３４に向かう下り勾配を容易につけることができる。このため、ルーフィング６上の水を排水筒部３４にスムーズに導くことができる。
【００８４】
また、前記実施形態の屋根構造は、第２の態様の屋根構造が有する特徴に加えて、以下に示す付加的な特徴を有する。フランジ部３５の上面は、平面視環状でフランジ部３５の外周部３５３の上面よりも一段低く、外周縁が段差３５４を介して外周部３５３の上面に繋がった第１面３５１と、平面視環状で第１面３５１よりも一段低く、外周縁が段差３５５を介して第１面３５１に繋がった第２面３５２とを備える。以下、この屋根構造を第４の態様の屋根構造という。
【００８５】
第４の態様の無落屋根構造は、ルーフィング６上の水が前述した切り込み６４等からフランジ部３５上に漏れ出た場合、この水を第２面３５２で受けて排水筒部３４側に流すことができ、この場合、第１面３５１と第２面３５２との間の段差３５５により、第２面３５２で受けた水がフランジ部３５の外周側に流れることが抑制される。
【００８６】
また、前記実施形態の屋根構造は、第２〜第４のいずれかの態様の屋根構造が有する特徴に加えて、以下に示す付加的な特徴を有する。排水筒部３４は平面視円形の内周面３４３を備える。下地側ドレン３は、平面視Ｃ字状に形成され、内周面３４３の内側に嵌め込まれた押え部材３３をさらに備える。ルーフィング６が押え部材３３と内周面３４３との間に挟まれる。以下、この屋根構造を第５の態様の屋根構造という。
【００８７】
第５の態様の屋根構造は、押え部材３３と排水筒部３４との間にルーフィング６を挟み込んで固定できる。また、押え部材３３は平面視Ｃ字状に形成されているため、作業者は押え部材３３を径方向に縮めた状態で排水筒部３４の内周面３４３に簡単に挿入でき、押え部材３３を用いてルーフィング６を固定する作業が容易になる。
【００８８】
また、前記実施形態のドレン（下地側ドレン）３は、以下に示す特徴を有する。ドレン３は、排水筒部３４とフランジ部３５とを備える。排水筒部３４は、屋根の下地２に形成された上方に開口する凹部２１の底部２４を上下方向に貫通し、凹部２１内に設けられた谷樋１の下方に位置し、谷樋１に設けられた樋側ドレン８から排出された水を底部２４の下方に排出する。フランジ部３５は、排水筒部３４の上縁から外周側に突出して底部２４上に載置可能である。フランジ部３５の上面は、排水筒部３４側に向かって段階的又は連続的に低くなっている。以下、この特徴を有するドレン３を第１の態様のドレン３という。
【００８９】
第１の態様のドレン３は、排水筒部３４を凹部２１の底部２４に貫通させ、フランジ部３５を凹部２１の底部２４上に載置した状態で設置することができる。このようにドレン３を設置することで、例えば凹部２１の底部２４上に配置したルーフィング６を、フランジ部３５の上面に沿って配置することで、谷樋１の外面で結露した水や谷樋１から漏れ出した水をルーフィング６で受け、この水を排水筒部３４から排出することができる。また、この場合、フランジ部３５上のルーフィング６を、排水筒部３４側に向かって段階的又は連続的に低くなったフランジ部３５の上面に沿って配置することができる。このため、ルーフィング６に排水筒部３４側に向かう下り勾配をつけて、ルーフィング６上の水をスムーズに排水筒部３４に導くことができる。
【００９０】
また、前記実施形態のドレン３は、第１の態様のドレン３が有する特徴に加えて、以下に示す付加的な特徴を有する。フランジ部３５に、上下方向に貫通し、フランジ部３５を底部２４に固定するための固着具９１を挿通可能な固着具用孔３５０が形成される。以下、このドレン３を第２の態様のドレン３という。
【００９１】
第２の態様のドレン３は、固着具用孔３５０に挿通した固着具９１を凹部２１の底部２４に固着することで、ドレン３を凹部２１の底部２４に固定できる。
【符号の説明】
【００９２】
１  谷樋
２  下地
２１  凹部
２４  底部
３  下地側ドレン
３３  押え部材
３４  排水筒部
３４３  内周面
３５  フランジ部
３５０  固着具用孔
３５１  第１面
３５２  第２面
３５３  外周部
３５４  段差
３５５  段差
６  ルーフィング
８  樋側ドレン
９１  固着具
【図１】
2019027164.tif 000003
【図２】
2019027164.tif 000004
【図３】
2019027164.tif 000005
【図４】
2019027164.tif 000006
【図５】
2019027164.tif 000007
【図６】
2019027164.tif 000008